【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
コード化テクスチャビュー成分とコード化深度ビュー成分とを含む３次元ビデオ（３ＤＶ）ビットストリームからサブビットストリームを抽出する方法であって、
前記３ＤＶビットストリーム内のビューを示す第１のリストを決定することと、前記ビューは複数のターゲットビュー内のピクチャを復号するために必要であるテクスチャビュー成分を有する前記前記第１のリストによって示され、、前記複数のターゲットビューは前記３ＤＶビットストリーム内の前記ビューのサブセットを備え、前記ターゲットビューはビデオデコーダによって出力するターゲットである、
前記３ＤＶビットストリーム内のビューを示す別の第２のリストをけっていすることと、前記ビューは前記複数のターゲットビュー内のピクチャを復号するために必要である深度ビュー成分を有する前記第２のリストによって示され、前記第１のリスト及び前記第２のリストは前記３ＤＶビットストリーム内の前記ビューの異なるサブセットを示す、
前記第１のリスト及び前記第２のリストに少なくとも部分的に基づいて、前記サブビットストリームを決定することとを備える、方法。
【請求項２】
前記第１のリストが、前記複数のターゲットビュー内のピクチャを復号するために必要であるテクスチャビュー成分を有する前記３ＤＶビットストリーム内の前記ビューを識別するビュー識別子を含み、
前記第２のリストが、前記複数のターゲットビュー内のピクチャを復号するために必要である深度ビュー成分を有する前記３ＤＶビットストリーム内の前記ビューを識別するビュー識別子を含み、
前記第１のリストが、前記第２のリスト内の前記ビュー識別子と異なる１つ以上のビュー識別子を含む、請求項１に記載の方法。
【請求項３】
シーケンスパラメータセット（ＳＰＳ）が、ビューと、前記ＳＰＳに適用可能なビュー成分との間の潜在的依存性を指定し、
前記第１のリストを決定することが、前記複数のターゲットビュー及び前記ＳＰＳによって指定された前記潜在的依存性に少なくとも部分的に基づいて、前記第１のリストを決定することを備え、
前記第２のリストを決定することが、前記複数のターゲットビュー及び前記ＳＰＳによって指定された前記潜在的依存性に少なくとも部分的に基づいて、前記第２のリストを決定することを備える、請求項１に記載の方法。
【請求項４】
前記３ＤＶビットストリームが一連のネットワーク抽象化レイヤ（ＮＡＬ）単位を備え、前記サブビットストリームを決定することが、前記第１のリスト又は前記第２のリストがＮＡＬ単位のビュー識別子を指定するかどうかに少なくとも部分的に基づいて、前記３ＤＶビットストリームから前記ＮＡＬ単位を除去するかどうかを決定することを備える、請求項１に記載の方法。
【請求項５】
前記第１のリストと前記第２のリストとを決定することが、
前記複数のターゲットビュー内のアンカーピクチャを復号するために必要であるテクスチャビュー成分を有する前記３ＤＶビットストリーム内のビューを示すアンカーテクスチャターゲットビューリストを決定することと、
前記複数のターゲットビュー内の非アンカーピクチャを復号するために必要であるテクスチャビュー成分を有する前記３ＤＶビットストリーム内のビューを示す非アンカーテクスチャターゲットビューリストを決定することと、
前記複数のターゲットビュー内の前記アンカーピクチャを復号するために必要である深度ビュー成分を有する前記３ＤＶビットストリーム内のビューを示すアンカー深度ターゲットビューリストを決定することと、
前記複数のターゲットビュー内の前記非アンカーピクチャを復号するために必要である深度ビュー成分を有する前記３ＤＶビットストリーム内のビューを示す非アンカー深度ターゲットビューリストを決定することとを備える、請求項４に記載の方法。
【請求項６】
前記３ＤＶビットストリームから前記ＮＡＬ単位を除去するかどうかを決定することが、
前記ＮＡＬ単位がアンカーピクチャに属するかどうかと、前記ＮＡＬ単位が深度ビュー成分ＮＡＬ単位タイプに属するかどうかと、前記アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することと、前記深度ビュー成分ＮＡＬ単位タイプに属するＮＡＬ単位が、深度ビュー成分に対するコード化スライス拡張をカプセル化する、
前記ＮＡＬ単位がアンカーピクチャに属するかどうかと、前記ＮＡＬ単位が前記深度ビュー成分ＮＡＬ単位タイプに属するかどうかと、前記非アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することとを備える、請求項５に記載の方法。
【請求項７】
前記３ＤＶビットストリームから前記ＮＡＬ単位を除去するかどうかを決定することが、
前記ＮＡＬ単位のヘッダ内のアンカーピクチャフラグシンタックス要素が１に等しく、前記ＮＡＬ単位の前記ヘッダ内のＮＡＬ単位タイプシンタックス要素が２１に等しくなく、かつ前記ＮＡＬ単位の前記ヘッダ内のビュー識別子シンタックス要素が前記アンカーテクスチャターゲットビューリスト内のビューのビュー識別子に等しいとき、前記ＮＡＬ単位が前記３ＤＶビットストリームから除去されるべきものと決定することと、
前記ＮＡＬ単位の前記ヘッダ内の前記アンカーピクチャフラグシンタックス要素が０に等しく、前記ＮＡＬ単位の前記ヘッダ内の前記ＮＡＬ単位タイプシンタックス要素が２１に等しくなく、かつ前記ＮＡＬ単位の前記ヘッダ内の前記ビュー識別子シンタックス要素が前記非アンカーテクスチャターゲットビューリスト内のビューのビュー識別子に等しいとき、前記ＮＡＬ単位が前記３ＤＶビットストリームから除去されるべきものと決定することとを備える、請求項６に記載の方法。
【請求項８】
前記３ＤＶビットストリームから前記ＮＡＬ単位を除去するかどうかを決定することが、
前記ＮＡＬ単位がアンカーピクチャに属するかどうかと、前記ＮＡＬ単位が深度ビュー成分ＮＡＬ単位タイプに属するかどうかと、前記アンカー深度ターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することと、前記深度ビュー成分ＮＡＬ単位タイプに属するＮＡＬ単位が、深度ビュー成分に対するコード化スライス拡張をカプセル化する、
前記ＮＡＬ単位がアンカーピクチャに属するかどうかと、前記ＮＡＬ単位が前記深度ビュー成分ＮＡＬ単位タイプに属するかどうかと、前記非アンカー深度ターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することとを備える、請求項５に記載の方法。
【請求項９】
前記３ＤＶビットストリームから前記ＮＡＬ単位を除去するかどうかを決定することが、
前記ＮＡＬ単位のヘッダ内のアンカーピクチャフラグシンタックス要素が１に等しく、前記ＮＡＬ単位の前記ヘッダ内のＮＡＬ単位タイプシンタックス要素が２１に等しく、かつ前記ＮＡＬ単位の前記ヘッダ内のビュー識別子シンタックス要素が前記アンカー深度ターゲットビューリスト内のビューのビュー識別子に等しいとき、前記ＮＡＬ単位が前記３ＤＶビットストリームから除去されるべきものと決定することと、
前記ＮＡＬ単位の前記ヘッダ内の前記アンカーピクチャフラグシンタックス要素が０に等しく、前記ＮＡＬ単位の前記ヘッダ内の前記ＮＡＬ単位タイプシンタックス要素が２１に等しく、かつ前記ＮＡＬ単位の前記ヘッダ内の前記ビュー識別子シンタックス要素が前記非アンカー深度ターゲットビューリスト内のビューのビュー識別子に等しいとき、前記ＮＡＬ単位が前記３ＤＶビットストリームから除去されるべきものと決定することとを備える、請求項８に記載の方法。
【請求項１０】
コンテンツ配信ネットワーク（ＣＤＮ）装置によって実行される、請求項１に記載の方法。
【請求項１１】
３次元ビデオ（３ＤＶ）ビットストリーム内のビューを示す第１のリストを決定するための手段と、前記ビューは複数のターゲットビュー内のピクチャを復号するために必要であるテクスチャビュー成分を有する前記第１のリストによって示され、前記複数のターゲットビューは前記３ＤＶビットストリーム内の前記ビューのサブセットを備え、前記ターゲットビューはビデオデコーダによって出力するターゲットであり、前記３ＤＶビットストリームはコード化されたテクスチャビュー成分とコード化された深度ビュー成分とを含む、
前記３ＤＶビットストリーム内のビューを示す別の第２のリストを決定するための手段と、前記ビューは前記複数のターゲットビュー内のピクチャを復号するために必要である深度ビュー成分を有する前記第２のリストによって示され、前記第１のリスト及び前記第２のリストは前記３ＤＶビットストリーム内の前記ビューの異なるサブセットを示す、
前記第１のリスト及び前記第２のリストに少なくとも部分的に基づいて、サブビットストリームを決定するための手段とを備える、装置。
【請求項１２】
前記３ＤＶビットストリームが一連のネットワーク抽象化レイヤ（ＮＡＬ）単位を備え、前記サブビットストリームを決定するための前記手段が、前記第１のリスト又は前記第２のリストがＮＡＬ単位のビュー識別子を指定するかどうかに少なくとも部分的に基づいて、前記３ＤＶビットストリームから前記ＮＡＬ単位を除去するかどうかを決定するための手段を備える、請求項１１に記載の装置。
【請求項１３】
前記第１のリストを決定するための前記手段が、
前記複数のターゲットビュー内のアンカーピクチャを復号するために必要であるテクスチャビュー成分を有する前記３ＤＶビットストリーム内のビューを示すアンカーテクスチャターゲットビューリストを決定するための手段と、
前記複数のターゲットビュー内の非アンカーピクチャを復号するために必要であるテクスチャビュー成分を有する前記３ＤＶビットストリーム内のビューを示す非アンカーテクスチャターゲットビューリストを決定するための手段と、
前記複数のターゲットビュー内の前記アンカーピクチャを復号するために必要である深度ビュー成分を有する前記３ＤＶビットストリーム内のビューを示すアンカー深度ターゲットビューリストを決定するための手段と、
深度ビュー成分を有する前記３ＤＶビットストリーム内のビューを示す非アンカー深度ターゲットビューリストを決定するための手段と、を備え、前記深度ビュー成分は前記複数のターゲットビュー内の前記非アンカーピクチャを復号するために必要である、請求項１２に記載の装置。
【請求項１４】
前記３ＤＶビットストリームから前記ＮＡＬ単位を除去するかどうかを決定するための前記手段が、
前記ＮＡＬ単位がアンカーピクチャに属するかどうかと、前記ＮＡＬ単位が深度ビュー成分ＮＡＬ単位タイプに属するかどうかと、前記アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定するための手段と、前記深度ビュー成分ＮＡＬ単位タイプに属するＮＡＬ単位が、深度ビュー成分に対するコード化スライス拡張をカプセル化する、
前記ＮＡＬ単位がアンカーピクチャに属するかどうかと、前記ＮＡＬ単位が前記深度ビュー成分ＮＡＬ単位タイプに属するかどうかと、前記非アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定するための手段とを備える、請求項１３に記載の装置。
【請求項１５】
命令を記憶するコンピュータ可読記憶媒体であって、前記命令が、装置の１つ以上のプロセッサによって実行されるとき、
３ＤＶビットストリーム内のビューを示す第１のリストを決定することと、前記ビューは複数のターゲットビュー内のピクチャを復号するために必要であるテクスチャビュー成分を有する前記第１のリストによって示され、前記複数のターゲットビューは前記３ＤＶビットストリーム内の前記ビューのサブセットを備え、前記ターゲットビューはビデオデコーダによって出力するターゲットであり、前記３ＤＶビットストリームはコード化されたテクスチャビュー成分とコード化された深度ビュー成分とを含む、
前記３ＤＶビットストリーム内のビューを示す別の第２のリストを決定することと、前記ビューは前記複数のターゲットビュー内のピクチャを復号するために必要である深度ビュー成分を有する前記第２のリストによって示され、前記第１のリスト及び前記第２のリストは前記３ＤＶビットストリーム内の前記ビューの異なるサブセットを示す、
前記第１のリスト及び前記第２のリストに少なくとも部分的に基づいて、サブビットストリームを決定することとを行うように前記装置を設定する、コンピュータ可読記憶媒体。
【手続補正２】
【補正対象書類名】明細書
【補正対象項目名】０２４１
【補正方法】変更
【補正の内容】
【０２４１】
[0233]様々な例について説明した。これら及び他の例は以下の特許請求の範囲内に入る。
以下に本件出願当初の特許請求の範囲に記載された発明を付記する。
［１］  コード化テクスチャビュー成分とコード化深度ビュー成分とを含む３次元ビデオ（３ＤＶ）ビットストリームからサブビットストリームを抽出する方法であって、複数のターゲットビュー内のピクチャを復号するために必要であるテクスチャビュー成分を有する前記３ＤＶビットストリーム内のビューを示すテクスチャターゲットビューリストを決定することと、前記複数のターゲットビュー内のピクチャを復号するために必要である深度ビュー成分を有する前記３ＤＶビットストリーム内のビューを示す深度ターゲットビューリストを決定することと、前記テクスチャターゲットビューリスト及び前記深度ターゲットビューリストに少なくとも部分的に基づいて、前記サブビットストリームを決定することとを備える、方法。
［２］  前記テクスチャターゲットビューリストが、前記複数のターゲットビュー内のピクチャを復号するために必要であるテクスチャビュー成分を有する前記３ＤＶビットストリーム内の前記ビューを識別するビュー識別子を含み、前記深度ターゲットビューリストが、前記複数のターゲットビュー内のピクチャを復号するために必要である深度ビュー成分を有する前記３ＤＶビットストリーム内の前記ビューを識別するビュー識別子を含み、前記テクスチャターゲットビューリストが、前記深度ターゲットビューリスト内の前記ビュー識別子と異なる１つ以上のビュー識別子を含む、［１］に記載の方法。
［３］  シーケンスパラメータセット（ＳＰＳ）が、ビューと、前記ＳＰＳに適用可能なビュー成分との間の潜在的依存性を指定し、前記テクスチャターゲットビューリストを決定することが、前記複数のターゲットビュー及び前記ＳＰＳによって指定された前記潜在的依存性に少なくとも部分的に基づいて、前記テクスチャターゲットビューリストを決定することを備え、前記深度ターゲットビューリストを決定することが、前記複数のターゲットビュー及び前記ＳＰＳによって指定された前記潜在的依存性に少なくとも部分的に基づいて、前記深度ターゲットビューリストを決定することを備える、［１］に記載の方法。
［４］  前記３ＤＶビットストリームが一連のネットワーク抽象化レイヤ（ＮＡＬ）単位を備え、前記サブビットストリームを決定することが、前記テクスチャターゲットビューリスト又は前記深度ターゲットビューリストがＮＡＬ単位のビュー識別子を指定するかどうかに少なくとも部分的に基づいて、前記３ＤＶビットストリームから前記ＮＡＬ単位を除去するかどうかを決定することを備える、［１］に記載の方法。
［５］  前記テクスチャターゲットビューリストと前記深度ターゲットビューリストとを決定することが、前記複数のターゲットビュー内のアンカーピクチャを復号するために必要であるテクスチャビュー成分を有する前記３ＤＶビットストリーム内のビューを示すアンカーテクスチャターゲットビューリストを決定することと、前記複数のターゲットビュー内の非アンカーピクチャを復号するために必要であるテクスチャビュー成分を有する前記ビットストリーム内のビューを示す非アンカーテクスチャターゲットビューリストを決定することと、前記複数のターゲットビュー内の前記アンカーピクチャを復号するために必要である深度ビュー成分を有する前記３ＤＶビットストリーム内のビューを示すアンカー深度ターゲットビューリストを決定することと、前記複数のターゲットビュー内の前記非アンカーピクチャを復号するために必要である深度ビュー成分を有する前記３ＤＶビットストリーム内のビューを示す非アンカー深度ターゲットビューリストを決定することとを備える、［４］に記載の方法。
［６］  前記３ＤＶビットストリームから前記ＮＡＬ単位を除去するかどうかを決定することが、前記ＮＡＬ単位がアンカーピクチャに属するかどうかと、前記ＮＡＬ単位が深度ビュー成分ＮＡＬ単位タイプに属するかどうかと、前記アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することと、前記深度ビュー成分ＮＡＬ単位タイプに属するＮＡＬ単位が、深度ビュー成分に対するコード化スライス拡張をカプセル化する、前記ＮＡＬ単位がアンカーピクチャに属するかどうかと、前記ＮＡＬ単位が前記深度ビュー成分ＮＡＬ単位タイプに属するかどうかと、前記非アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することとを備える、［５］に記載の方法。
［７］  前記３ＤＶビットストリームから前記ＮＡＬ単位を除去するかどうかを決定することが、前記ＮＡＬ単位のヘッダ内のアンカーピクチャフラグシンタックス要素が１に等しく、前記ＮＡＬ単位の前記ヘッダ内のＮＡＬ単位タイプシンタックス要素が２１に等しくなく、かつ前記ＮＡＬ単位の前記ヘッダ内のビュー識別子シンタックス要素が前記アンカーテクスチャターゲットリスト内のビューのビュー識別子に等しいとき、前記ＮＡＬ単位が前記３ＤＶビットストリームから除去されるべきものと決定することと、前記ＮＡＬ単位の前記ヘッダ内の前記アンカーピクチャフラグシンタックス要素が０に等しく、前記ＮＡＬ単位の前記ヘッダ内の前記ＮＡＬ単位タイプシンタックス要素が２１に等しくなく、かつ前記ＮＡＬ単位の前記ヘッダ内の前記ビュー識別子シンタックス要素が前記非アンカーテクスチャターゲットリスト内のビューのビュー識別子に等しいとき、前記ＮＡＬ単位が前記３ＤＶビットストリームから除去されるべきものと決定することとを備える、［６］に記載の方法。
［８］  前記３ＤＶビットストリームから前記ＮＡＬ単位を除去するかどうかを決定することが、前記ＮＡＬ単位がアンカーピクチャに属するかどうかと、前記ＮＡＬ単位が深度ビュー成分ＮＡＬ単位タイプに属するかどうかと、前記アンカー深度ターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することと、前記深度ビュー成分ＮＡＬ単位タイプに属するＮＡＬ単位が、深度ビュー成分に対するコード化スライス拡張をカプセル化する、前記ＮＡＬ単位がアンカーピクチャに属するかどうかと、前記ＮＡＬ単位が前記深度ビュー成分ＮＡＬ単位タイプに属するかどうかと、前記非アンカー深度ターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することとを備える、［５］に記載の方法。
［９］  前記３ＤＶビットストリームから前記ＮＡＬ単位を除去するかどうかを決定することが、前記ＮＡＬ単位のヘッダ内のアンカーピクチャフラグシンタックス要素が１に等しく、前記ＮＡＬ単位の前記ヘッダ内のＮＡＬ単位タイプシンタックス要素が２１に等しく、かつ前記ＮＡＬ単位の前記ヘッダ内のビュー識別子シンタックス要素が前記アンカー深度ターゲットリスト内のビューのビュー識別子に等しいとき、前記ＮＡＬ単位が前記３ＤＶビットストリームから除去されるべきものと決定することと、前記ＮＡＬ単位の前記ヘッダ内の前記アンカーピクチャフラグシンタックス要素が０に等しく、前記ＮＡＬ単位の前記ヘッダ内の前記ＮＡＬ単位タイプシンタックス要素が２１に等しく、かつ前記ＮＡＬ単位の前記ヘッダ内の前記ビュー識別子シンタックス要素が前記非アンカー深度ターゲットリスト内のビューのビュー識別子に等しいとき、前記ＮＡＬ単位が前記３ＤＶビットストリームから除去されるべきものと決定することとを備える、［８］に記載の方法。
［１０］  コンテンツ配信ネットワーク（ＣＤＮ）装置によって実行される、［１］に記載の方法。
［１１］  １つ以上のプロセッサを備えた装置であって、複数のターゲットビュー内のピクチャを復号するために必要であるテクスチャビュー成分を有し、コード化されたテクスチャビュー成分とコード化された深度ビュー成分とを含む３次元ビデオ（３ＤＶ）ビットストリーム内のビューを示すテクスチャターゲットビューリストを決定することと、前記複数のターゲットビュー内のピクチャを復号するために必要である深度ビュー成分を有する前記３ＤＶビットストリーム内のビューを示す深度ターゲットビューリストを決定することと、前記テクスチャターゲットビューリスト及び前記深度ターゲットビューリストに少なくとも部分的に基づいて、前記サブビットストリームを決定することとを行うように構成された、装置。
［１２］  前記テクスチャターゲットビューリストが、前記複数のターゲットビュー内のピクチャを復号するために必要であるテクスチャビュー成分を有する前記３ＤＶビットストリーム内の前記ビューを識別するビュー識別子を含み、前記深度ターゲットビューリストが、前記複数のターゲットビュー内のピクチャを復号するために必要である深度ビュー成分を有する前記３ＤＶビットストリーム内の前記ビューを識別するビュー識別子を含み、前記テクスチャターゲットビューリストが、前記深度ターゲットビューリスト内の前記ビュー識別子と異なる１つ以上のビュー識別子を含む、［１１］に記載の装置。
［１３］  シーケンスパラメータセット（ＳＰＳ）が、ビューと、前記ＳＰＳに適用可能なビュー成分との間の潜在的依存性を指定し、前記１つ以上のプロセッサが、  前記テクスチャターゲットビューリストを決定することが前記複数のターゲットビュー及び前記ＳＰＳによって指定された前記潜在的依存性に少なくとも部分的に基づいて、前記テクスチャターゲットビューリストを決定することとを備え、前記深度ターゲットビューリストを決定することが前記複数のターゲットビュー及び前記ＳＰＳによって指定された前記潜在的依存性に少なくとも部分的に基づいて、前記深度ターゲットビューリストを決定することを備えるように構成される、［１１］に記載の装置。
［１４］  前記３ＤＶビットストリームが一連のネットワーク抽象化レイヤ（ＮＡＬ）単位を備え、前記１つ以上のプロセッサが、前記テクスチャターゲットビューリスト又は前記深度ターゲットビューリストがＮＡＬ単位のビュー識別子を指定するかどうかに少なくとも部分的に基づいて、前記３ＤＶビットストリームから前記ＮＡＬ単位を除去するかどうかを決定するように構成される、［１１］に記載の装置。
［１５］  前記１つ以上のプロセッサが、前記複数のターゲットビュー内のアンカーピクチャを復号するために必要であるテクスチャビュー成分を有する前記３ＤＶビットストリーム内のビューを示すアンカーテクスチャターゲットビューリストを決定することと、前記複数のターゲットビュー内の非アンカーピクチャを復号するために必要であるテクスチャビュー成分を有する前記ビットストリーム内のビューを示す非アンカーテクスチャターゲットビューリストを決定することと、前記複数のターゲットビュー内の前記アンカーピクチャを復号するために必要である深度ビュー成分を有する前記３ＤＶビットストリーム内のビューを示すアンカー深度ターゲットビューリストを決定することと、前記複数のターゲットビュー内の前記非アンカーピクチャを復号するために必要である深度ビュー成分を有する前記３ＤＶビットストリーム内のビューを示す非アンカー深度ターゲットビューリストを決定することとを行うように構成される、［１４］に記載の装置。
［１６］  前記１つ以上のプロセッサが、前記ＮＡＬ単位がアンカーピクチャに属するかどうかと、前記ＮＡＬ単位が深度ビュー成分ＮＡＬ単位タイプに属するかどうかと、前記アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することと、前記深度ビュー成分ＮＡＬ単位タイプに属するＮＡＬ単位が、深度ビュー成分に対するコード化スライス拡張をカプセル化する、前記ＮＡＬ単位がアンカーピクチャに属するかどうかと、前記ＮＡＬ単位が前記深度ビュー成分ＮＡＬ単位タイプに属するかどうかと、前記非アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することとを行うように構成される、［１５］に記載の装置。
［１７］  前記１つ以上のプロセッサが、前記ＮＡＬ単位のヘッダ内のアンカーピクチャフラグシンタックス要素が１に等しく、前記ＮＡＬ単位の前記ヘッダ内のＮＡＬ単位タイプシンタックス要素が２１に等しくなく、かつ前記ＮＡＬ単位の前記ヘッダ内のビュー識別子シンタックス要素が前記アンカーテクスチャターゲットリスト内のビューのビュー識別子に等しいとき、前記ＮＡＬ単位が前記３ＤＶビットストリームから除去されるべきものと決定することと、前記ＮＡＬ単位の前記ヘッダ内の前記アンカーピクチャフラグシンタックス要素が０に等しく、前記ＮＡＬ単位の前記ヘッダ内の前記ＮＡＬ単位タイプシンタックス要素が２１に等しくなく、かつ前記ＮＡＬ単位の前記ヘッダ内の前記ビュー識別子シンタックス要素が前記非アンカーテクスチャターゲットリスト内のビューのビュー識別子に等しいとき、前記ＮＡＬ単位が前記３ＤＶビットストリームから除去されるべきものと決定することとを行うように構成される、［１６］に記載の装置。
［１８］  前記１つ以上のプロセッサが、前記ＮＡＬ単位がアンカーピクチャに属するかどうかと、前記ＮＡＬ単位が深度ビュー成分ＮＡＬ単位タイプに属するかどうかと、前記アンカー深度ターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することと、前記深度ビュー成分ＮＡＬ単位タイプに属するＮＡＬ単位が、深度ビュー成分に対するコード化スライス拡張をカプセル化する、前記ＮＡＬ単位がアンカーピクチャに属するかどうかと、前記ＮＡＬ単位が前記深度ビュー成分ＮＡＬ単位タイプに属するかどうかと、前記非アンカー深度ターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することとを行うように構成される、［１５］に記載の装置。
［１９］  前記１つ以上のプロセッサが、前記ＮＡＬ単位のヘッダ内のアンカーピクチャフラグシンタックス要素が１に等しく、前記ＮＡＬ単位の前記ヘッダ内のＮＡＬ単位タイプシンタックス要素が２１に等しく、かつ前記ＮＡＬ単位の前記ヘッダ内のビュー識別子シンタックス要素が前記アンカー深度ターゲットリスト内のビューのビュー識別子に等しいとき、前記ＮＡＬ単位が前記３ＤＶビットストリームから除去されるべきものと決定することと、前記ＮＡＬ単位の前記ヘッダ内の前記アンカーピクチャフラグシンタックス要素が０に等しく、前記ＮＡＬ単位の前記ヘッダ内の前記ＮＡＬ単位タイプシンタックス要素が２１に等しく、かつ前記ＮＡＬ単位の前記ヘッダ内の前記ビュー識別子シンタックス要素が前記非アンカー深度ターゲットリスト内のビューのビュー識別子に等しいとき、前記ＮＡＬ単位が前記３ＤＶビットストリームから除去されるべきものと決定することとを行うように構成される、［１８］に記載の装置。
［２０］  コンテンツ配信ネットワーク（ＣＤＮ）装置である、［１１］に記載の装置。
［２１］  複数のターゲットビュー内のピクチャを復号するために必要であるテクスチャビュー成分を有し、コード化されたテクスチャビュー成分とコード化された深度ビュー成分とを含む３次元ビデオ（３ＤＶ）ビットストリーム内のビューを示すテクスチャターゲットビューリストを決定するための手段と、前記複数のターゲットビュー内のピクチャを復号するために必要である深度ビュー成分を有する前記３ＤＶビットストリーム内のビューを示す深度ターゲットビューリストを決定するための手段と、前記テクスチャターゲットビューリスト及び前記深度ターゲットビューリストに少なくとも部分的に基づいて、前記サブビットストリームを決定するための手段とを備える、装置。
［２２］  前記３ＤＶビットストリームが一連のネットワーク抽象化レイヤ（ＮＡＬ）単位を備え、前記サブビットストリームを決定するための前記手段が、前記テクスチャターゲットビューリスト又は前記深度ターゲットビューリストがＮＡＬ単位のビュー識別子を指定するかどうかに少なくとも部分的に基づいて、前記３ＤＶビットストリームから前記ＮＡＬ単位を除去するかどうかを決定するための手段を備える、［２１］に記載の装置。
［２３］  前記テクスチャターゲットビューリストを決定するための前記手段が、前記複数のターゲットビュー内のアンカーピクチャを復号するために必要であるテクスチャビュー成分を有する前記３ＤＶビットストリーム内のビューを示すアンカーテクスチャターゲットビューリストを決定するための手段と、前記複数のターゲットビュー内の非アンカーピクチャを復号するために必要であるテクスチャビュー成分を有する前記ビットストリーム内のビューを示す非アンカーテクスチャターゲットビューリストを決定するための手段と、前記複数のターゲットビュー内の前記アンカーピクチャを復号するために必要である深度ビュー成分を有する前記３ＤＶビットストリーム内のビューを示すアンカー深度ターゲットビューリストを決定するための手段と、前記複数のターゲットビュー内の前記非アンカーピクチャを復号するために必要である深度ビュー成分を有する前記３ＤＶビットストリーム内のビューを示す非アンカー深度ターゲットビューリストを決定するための手段とを備える、［２２］に記載の装置。
［２４］  前記３ＤＶビットストリームから前記ＮＡＬ単位を除去するかどうかを決定するための前記手段が、前記ＮＡＬ単位がアンカーピクチャに属するかどうかと、前記ＮＡＬ単位が深度ビュー成分ＮＡＬ単位タイプに属するかどうかと、前記アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定するための手段と、前記深度ビュー成分ＮＡＬ単位タイプに属するＮＡＬ単位が、深度ビュー成分に対するコード化スライス拡張をカプセル化する、前記ＮＡＬ単位がアンカーピクチャに属するかどうかと、前記ＮＡＬ単位が前記深度ビュー成分ＮＡＬ単位タイプに属するかどうかと、前記非アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定するための手段とを備える、［２３］に記載の装置。
［２５］  命令を記憶するコンピュータ可読記憶媒体であって、前記命令が、装置の１つ以上のプロセッサによって実行されるとき、複数のターゲットビュー内のピクチャを復号するために必要であるテクスチャビュー成分を有し、コード化されたテクスチャビュー成分とコード化された深度ビュー成分とを含む３ＤＶビットストリーム内のビューを示すテクスチャターゲットビューリストを決定することと、前記複数のターゲットビュー内のピクチャを復号するために必要である深度ビュー成分を有する前記３ＤＶビットストリーム内のビューを示す深度ターゲットビューリストを決定することと、前記テクスチャターゲットビューリスト及び前記深度ターゲットビューリストに少なくとも部分的に基づいて、前記サブビットストリームを決定することとを行うように前記装置を設定する、コンピュータ可読記憶媒体。
［２６］  前記３ＤＶビットストリームが一連のネットワーク抽象化レイヤ（ＮＡＬ）単位を備え、前記命令が、前記テクスチャターゲットビューリスト又は前記深度ターゲットビューリストがＮＡＬ単位のビュー識別子を指定するかどうかに少なくとも部分的に基づいて、前記３ＤＶビットストリームから前記ＮＡＬ単位を除去するかどうかを決定するように前記装置を設定する、［２５］に記載のコンピュータ可読記憶媒体。
［２７］  前記命令が、前記複数のターゲットビュー内のアンカーピクチャを復号するために必要であるテクスチャビュー成分を有する前記３ＤＶビットストリーム内のビューを示すアンカーテクスチャターゲットビューリストを決定することと、前記複数のターゲットビュー内の非アンカーピクチャを復号するために必要であるテクスチャビュー成分を有する前記ビットストリーム内のビューを示す非アンカーテクスチャターゲットビューリストを決定することと、前記複数のターゲットビュー内の前記アンカーピクチャを復号するために必要である深度ビュー成分を有する前記３ＤＶビットストリーム内のビューを示すアンカー深度ターゲットビューリストを決定することと、前記複数のターゲットビュー内の前記非アンカーピクチャを復号するために必要である深度ビュー成分を有する前記３ＤＶビットストリーム内のビューを示す非アンカー深度ターゲットビューリストを決定することとを行うように前記装置を設定する、［２６］に記載のコンピュータ可読記憶媒体。
［２８］  前記命令が、前記ＮＡＬ単位がアンカーピクチャに属するかどうかと、前記ＮＡＬ単位が深度ビュー成分ＮＡＬ単位タイプに属するかどうかと、前記アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することと、前記深度ビュー成分ＮＡＬ単位タイプに属するＮＡＬ単位が、深度ビュー成分に対するコード化スライス拡張をカプセル化する、前記ＮＡＬ単位がアンカーピクチャに属するかどうかと、前記ＮＡＬ単位が前記深度ビュー成分ＮＡＬ単位タイプに属するかどうかと、前記非アンカーテクスチャターゲットビューリストが前記ＮＡＬ単位の前記ビュー識別子を指定するかどうかとに少なくとも部分的に基づいて、前記３ＤＶビットストリームから前記ＮＡＬ単位を除去するかどうかを決定することとを行うように前記装置を構成する、［２７］に記載のコンピュータ可読記憶媒体。